(57)【要約】【課題】  使い勝手のよい車体カバーの収納装置を提供すること。【解決手段】  車両のトランク内に固定するケース本体内に円錐台状の巻取ドラムを設け、駆動機構により巻取ドラムを回転させ車体カバーを巻き出し可能に巻き取った車体カバー収納装置において、連結紐に長さ調整機構を備え、車体カバーを粘着剤で連結紐に連結させ、一方向回転機構により巻取ドラムの回転を一方向に制御し、更に内部にブラシと吸収材を設け、トランク内部に固定部材で固定するように構成した。  このように構成したことにより、車体カバーの巻き出し、巻き取りが容易となり、確実に車体カバーを正しく装着でき、しかも濡れている場合でもトランク内を汚すことなく収納できる。【選択図】  図１
2005053367.tif 000002
【特許請求の範囲】
【請求項１】
車両のトランク内に固定されるケース本体と、該ケース本体内に該ケース本体とほぼ同軸に設けられた円錐台状の巻取ドラムと、該ケース本体の側面に形成された引出口と、前記巻取ドラムを巻取り方向に回転付勢する駆動機構と、前記巻取ドラムの大径側側面に一端を係止させ、他端を前記車両の外部に装着される車体カバーの後部端部に取り付ける連結紐とを備えた車体カバー収納装置において、
前記連結紐に、前記一端から前記他端までの長さを調整する調整機構を備え、
前記駆動機構に取り付けられ、該駆動機構の巻出し方向への回転を許容し、かつ巻取り方向への回転を係止するとともにレバー操作により前記係止を解除可能な一方向回転機構を有し、
前記巻取ドラムに巻き取られる前記車体カバーの表面に接触するブラシ材を前記ケース本体内に設け、
前記ケース内部に搬入された水を吸収する吸収材を前記ケース本体内下部に設け、
前記ケース本体内に外気を導入する送気ファンを備えたことを特徴とする車体カバー収納装置。
【請求項２】
取付片の内側面に塗布された接着剤で、前記車体カバーの表裏を挟み、該車体カバーに該取付片を接着し、該取付片に前記連結紐を着脱自在に取り付けることを特徴とした請求項１に記載の車体カバー収納装置。
【請求項３】
前記貯水部内に吸水材を着脱自在に取り付けたことを特徴とする請求項１または２に記載の車体カバー収納装置。
【請求項４】
前記ケース本体を前記トランク内に固定する固定部材を、前記ケース本体に一端を固定し、他端を前記トランクの壁面に取り付けるように構成したことを特徴とした請求項１〜３のいずれか１項に記載の車体カバー収納装置。
【請求項５】
前記固定部材は、伸縮自在の二重パイプ構造で、内部に弾性部材を備え伸長方向に付勢し、一端を前記ケース本体に設けられた脚部に取り付けたことを特徴とする請求項４に記載の車体カバー収納装置。
【請求項６】
前記固定部材は、伸縮自在の二重パイプ構造で、所望の長さで伸縮を固定可能な固定手段を備えたことを特徴とする請求項４に記載の車体カバー収納装置。
【請求項７】
前記ケース本体下部に設けられた脚部に、前記トランク内に敷設された敷物に係止させる突起を設けたことを特徴とした請求項１〜６のいずれか１項に記載の車体カバー収納装置。
【請求項８】
前記ケース本体下部に設けられた脚部に、トランクの床面上に吸着する磁石材を設けたことを特徴とする請求項１〜６のいずれか１項に記載の車体カバー収納装置。
【請求項９】
前記ケース本体下部に設けられた脚部に塗布した接着剤によりトランク内の床面に接着させることを特徴とした請求項１〜８のいずれか１項に記載の車体カバー収納装置。
【請求項１０】
前記連結紐に、前記ケース本体に掛けて前記巻取ドラムの前記駆動機構による回転駆動を係止する係止部を設けたことを特徴とした請求項１〜９のいずれか１項に記載の車体カバー収納装置。
【請求項１１】
前記連結紐に、前記車体カバー側の端部を前記巻取ドラム外周に掛ける掛かり部を設けたことを特徴とした請求項１〜１０のいずれか１項に記載の車体カバー収納装置。
【発明の詳細な説明】
【技術分野】
【０００１】
本発明は、車輌のトランク内に設置して、車体から外した車体カバーを巻き取り、巻き出し可能にケース内に収納した車体カバー収納装置に関する。
【背景技術】
【０００２】
車体カバーは、埃やきずなど車体への付着を防止する観点から、車両を屋外駐車場に保管している場合は装着が必要とされている。ところが車体カバーは、装着に手間がかかったり、車体から取り外したときの保管が面倒なことから利用が余りされていない現状がある。そこで、本願発明者は、車体カバーを車輌のトランク内に収容できる自動車トランク収納用車体カバーの簡易巻き取り装置について出願している。
【０００３】
この巻き取り装置は、円筒状のケース内にバネ力で回転する巻き取り部材を設け、車輌のトランクなどに設置して車体から外した車体カバーを巻き取り部材に巻き取らせてケース内に収納するとともに、随時車体カバーを巻き取り装置から引き出して車体に装着できるようになっている。（例えば特許文献１参照。）。
【０００４】
【特許文献１】特願２００２−１５３８３号公報。
【発明の開示】
【発明が解決しようとする課題】
【０００５】
しかしながら従来の巻き取り装置は、連結紐などを用いて車体カバーと連結しており、車体カバーに予め連結用の金具を取り付ける必要があるが、市販の車体カバーには連結用の金具はなく、新たに連結用の金具を取り付けなければならず、車体カバーを交換するときやサイズを変更するときなどには車体カバーに金具を取り付けるのに手間がかかっていた。
【０００６】
また、車体カバーと収納装置とを連結している連結紐が短いと、車体カバーを完全に引き出せず、車体カバーを装着したとき車体を完全に覆うことができなくなり、一方連結紐が必要以上に長い場合は、車体カバーを装着したとき外部に長く垂れ下がってしまう他、車体カバーを巻き取った際、連結紐を巻き取るために巻取ドラムの回転が多く費やされ、車体カバーを最後まで巻き取れなくなることがあった。
【０００７】
また雨天後や露などにより表面が濡れている場合、収納した後車体カバーから水滴が落下して収納ケース内に水が貯まったり、車体カバーが濡れた状態で収納されることがある。
【０００８】
更にトランク内に収納装置に固定する際、トランク内の形状が車種ごとに異なることからトランクの大きさ、形状に応じて固定部材を予め用意したり、加工する必要があり、作業に手間が掛かっていた。
【０００９】
本発明は、車体カバーの交換が容易で、盗難を防止でき、かつ車体を完全に覆うことができ、しかもトランク内への据え付けが容易で、使い勝手の良い車体カバー収納装置を提供することを目的とする。
【課題を解決するための手段】
【００１０】
本発明では、上記課題を解決するため次のように車体カバー収納装置を構成した。
【００１１】
請求項１に記載の発明は、車両のトランク内に固定されるケース本体と、該ケース本体内に該ケース本体とほぼ同軸に設けられた円錐台状の巻取ドラムと、該ケース本体の側面に形成された引出口と、前記巻取ドラムを巻取り方向に回転付勢する駆動機構と、前記巻取ドラムの大径側側面に一端を係止させ、他端を前記車両の外部に装着される車体カバーの後部端部に取り付ける連結紐とを備えた車体カバー収納装置において、前記連結紐に、前記一端から前記他端までの長さを調整する調整機構を備え、前記駆動機構に取り付けられ、該駆動機構の巻出し方向への回転を許容し、かつ巻取り方向への回転を係止するとともにレバー操作により前記係止を解除可能な一方向回転機構を有し、前記巻取ドラムに巻き取られる前記車体カバーの表面に接触するブラシ材を前記ケース本体内に設け、前記ケース内部に搬入された水を吸収する吸収材を前記ケース本体内下部に設け、前記ケース本体内に外気を導入する送気ファンを備えて車体カバー収納装置を構成した。
【００１２】
請求項２に記載の発明は、請求項１に記載の収納装置において、取付片の内側面に塗布された接着剤で、前記車体カバーの表裏を挟み、該車体カバーに該取付片を接着し、該取付片に前記連結紐を着脱自在に取り付けることとした。これにより、市販の車体カバーに容易に取付片を設けることができ、車体カバーを連結、交換が容易にできる。
【００１３】
請求項３に記載の発明は、請求項１または２に記載の収納装置において、前記貯水部内に吸水材を着脱自在に取り付けたことを特徴とする。これにより、濡れた車体カバーを収容した場合でも車体カバーから落下した水滴を収納装置内に貯留でき、また貯まった水滴を収納装置から容易に排出できる。
【００１４】
請求項４に記載の発明は、請求項１〜３のいずれか１項に記載の収納装置において、前記ケース本体を前記トランク内に固定する固定部材を、前記ケース本体に一端を固定し、他端を前記トランクの壁面に取り付けるように構成した。
【００１５】
請求項５に記載の発明は、請求項４に記載の収納装置において、前記固定部材は、伸縮自在の二重パイプ構造で、内部に弾性部材を備え伸長方向に付勢し、一端を前記ケース本体に設けられた脚部に取り付けたことを特徴とする。
【００１６】
請求項６に記載の発明は、請求項４に記載の収納装置において、前記固定部材は、伸縮自在の二重パイプ構造で、所望の長さで伸縮を固定可能な固定手段を備えたことを特徴とする。
【００１７】
請求項７に記載の発明は、請求項１〜６のいずれか１項に記載の収納装置において、前記ケース本体下部に設けられた脚部に、前記トランク内に敷設された敷物に係止させる突起を設けたことを特徴とした。
【００１８】
請求項７に記載の発明は、請求項１〜６のいずれか１項に記載の収納装置において、前記ケース本体下部に設けられた脚部に、トランクの床面上に吸着する磁石材を設けたことを特徴とする。
【００１９】
請求項９に記載の発明は、請求項１〜８のいずれか１項に記載の収納装置において、前記ケース本体下部に設けられた脚部に塗布した接着剤によりトランク内の床面に接着させることを特徴とした。これらにより、固定部材を用いて収納装置をトランク内に容易に固定できる。
【００２０】
請求項１０に記載の発明は、請求項１〜９のいずれか１項に記載の収納装置において、連結紐に、前記ケース本体に掛けて前記巻取ドラムの前記駆動機構による回転駆動を係止する係止部を設けたことを特徴とした。車体カバーを引き出した際、巻取ドラムの回転が阻止され、巻き取り力が車体カバーに加えられず、操作が容易である。
【００２１】
請求項１１に記載の発明は、請求項１〜１０のいずれか１項に記載の収納装置において、連結紐に、前記車体カバー側の端部を前記巻取ドラム外周に掛ける掛かり部を設けたことを特徴とした。これにより、連結紐を巻き取ることなく車体カバーを直接巻取ドラムに巻き付けることができ、ばね力を有効に利用できる。
【発明の効果】
【００２２】
請求項１に記載の発明は、収納された車体カバーを容易に巻き出し車体に装着し、またレバー操作によって巻き込むことができる。また巻き込み時に車体カバーに付着した水滴をブラシによって払い落とすことができ、更に、溜まった水分を吸収し、またファンによって乾燥させることができる。更に連結紐が弛むことなく、かつ捲れることなく車体カバーを車両に正しく装着できる。また車種が変更しても、調整機構を操作することにより正しい装着ができる。
【００２３】
請求項２に記載の発明は、市販の車体カバーに取付片を容易に設けることができ、車体カバーを収納装置に容易に連結し、また新たな車体カバーと交換できる。
【００２４】
請求項３に記載の発明は、濡れた車体カバーを収容した場合でも車体カバーから落下した水滴を収納装置内に貯留でき、トランク内を水滴で濡らすことがなく、また吸収材を取り出すことにより貯まった水滴を収納装置から容易に排出できる。
【００２５】
請求項４〜９に記載の発明では、車両ごとに長さなどをあわせた固定部材を用意する必要がなく、固定部材を用いて収納装置をトランク内に容易に固定できる。
【００２６】
請求項１０に記載の発明では、車体カバーを引き出した際、巻取ドラムの回転駆動が停止され、車体カバーが巻き取られず、装着操作が容易である。
【００２７】
請求項１１に記載の発明は、連結紐を巻き取ることなく車体カバーを巻取ドラムに直接巻き付けることができ、巻取ドラムのばね力を有効に利用できる。
【発明を実施するための最良の形態】
【００２８】
以下、本発明にかかる車体カバー収納装置の一実施形態を、図面を参照しながら説明する。
【００２９】
車体カバー収納装置１（以下「収納装置１」とする。）の全体を図１に示す。収納装置１は、円筒状のケース本体２と、ケース本体２内に設けられた巻取ドラム４と、車両３（図３参照）に装着される車体カバー６等から構成されている。
【００３０】
ケース本体２は、金属板または合成樹脂等からなり、正面に引出口８が形成してあり、引出口８には扉１０が開閉自在に設けられている。ケース本体２の内部には、軸方向の一端側が細く、他端側の径を太くした発泡スチロールなどからなる円錐台状の巻取ドラム４がケース本体２の中心とほぼ同軸に設けられ、内部に設けられたバネ機構１４により一方向に向けて回転力が付与されている。
【００３１】
バネ機構１４は、中心に設けられたばね１５の一端が巻取ドラム４に連結され、他端がケース本体２の正面右側に設けられた開閉蓋１３内に備えられたハンドル１６に連結してあり、ハンドル１６を回転させるとばね１５が軸周りに回転して回転力が蓄積され、巻取ドラム１４にばね１５の反発力による回転力が付勢される。
【００３２】
更に、巻取ドラム４の回転軸には、一方向回転機構１８が設けられている。一方向回転機構１８は、巻取ドラム１４を巻き出す方向には回転を許容し、巻き取る方向への回転を停止させる機構であり、レバー１９を操作して回転停止を解除できる。一方向回転機構１８の回転停止機構としては、例えばギアとかかるギアに噛み合いギアの逆回転を停止させ、またレバー１９により噛み合いを解除してギアのいずれの方向への回転も可能とした爪片からなるラチェット機構や軸の一回転方向には軸の周囲に設けられた楔状の係止片が食い込み軸の回転を停止させ、逆回転方向には係止片の食い込みが解除され回転可能とし、レバー１９により係止片を移動させて軸のいずれの方向への回転も可能とするように構成したものなどがある。
【００３３】
扉１０はケース本体２に沿って摺動可能に設けられ、扉１０を上下方向にスライドさせると引出口８が開閉され、扉１０の左右いずれかの側方に形成された切込みにより扉１０を閉じた状態で後述する連結紐２２が引き出される。またケース本体２の内部上下部には、図２に示すように下向き及び上向きに植設されたブラシ２１が設けられている。ブラシ２１は、上下部に限らずその他ケース本体２の内部の複数の箇所に設けられていてもよい。ブラシ２１は、合成樹脂製の繊維、布材等でもよい。
【００３４】
ケース本体２の上面には、外気をケース本体２内に導入する吸い込み用のファン３９が設けてあり、側面には空気排出用の開口部４２が形成してある。そして、レバー１９を操作するとファン３９のスイッチが所定時間入力され、ケース本体２内に外気が導入されるようになっている。尚、ファン３９は排出用であってもよい。
【００３５】
ケース本体２の下部には、脚２０が設けてあり、図１７に示すように脚２０によりトランク５０の床上に載置されている。脚２０はゴム製でもよく、また磁石を内部に組み込み、トランク５０の金属製の床面に吸着されるようにしてもよい。
【００３６】
脚２０には、図１２に示すように車両３の前後方向、及び収納装置１の上面から上方に向けて固定部材３３が取り付けられている。固定部材３３は内側に収納された管が伸縮自在の二重管構造で、内管が各脚２０に取り付けられ、内部に設けられたばね（図示せず。）により内管が突出方向に付勢されてトランク５０の壁面に当接し、ばね力で収納装置１をトランク５０の所望の位置に固定している。
【００３７】
車体カバー６は、装着する車両３の大きさ、形状等に適合した布製の防水カバーであり、後端に紐２２の一端が連結されている。
【００３８】
紐２２は図６に示すように、中間に紐２２の長さを調節する調整機構２３が設けられ、他端が巻取ドラム４の大径側の側面に連結されている。調整機構２３は、樹脂製の板材に４つの穴を均等に備え、図６に示すように順次各穴に紐を通す。すると中間部分に紐のたるみが生じ、更にＡＢの方向に強く引いた場合締結され、長さが変わらない。尚、調整機構２３は、かかる構成に限らず他の構成でもよい。
【００３９】
車体カバー６には、図７に示すように内側に接着材１１を塗布した布材２８の折り返し部にリング２９を配置し、布材２８で車体カバー６の表裏を挟んで接着した連結リング３０が設けられている。このリング２９に、紐２２の一端に設けられた連結金具３１が着脱自在に連結される。
【００４０】
尚、連結リング３０は、図８に示すように折り返した紐３２を車体カバー６に縫い付けて構成してもよい。更に、図９に示すように布材２８を車体カバー６に縫い付け、布材２８に通したリング２９を車体カバー６に固定してもよく、リング２９は、金属製でなく合成樹脂製でもよい。
【００４１】
紐２２は調整機構２３により、車体カバー６を収納装置１から引き出しトランク５０の扉５１を閉めて車体カバー６を車体３に装着したとき、車体カバー６が正しく車体に掛けられ、かつ紐２２が大きくたるまない長さに調整してある。
【００４２】
次に、収納装置１の用い方について説明する。
【００４３】
収納装置１内には、車体カバー６が巻取ドラム４に巻き取らせて収納してあり、収納装置１をトランク５０内に入れ、図３、図１７に示すように固定部材３３を突っ張らせてトランク５０内に固定する。
【００４４】
トランク５０の扉５１を開け、収納装置１の扉１０を上方に移動させ、引出口８を開く。車体カバー６の端を掴み、巻取ドラム４を巻き出し方向に回転させながら車体カバー６を収納装置１から引き出す。収納装置１は、固定部材３３により固定されているので、車体カバー６の引き出し操作では移動しない。また、巻取ドラム４は一方向回転機構１８により巻き取り方向に逆回転しない。
【００４５】
車体カバー６を引き出し車両３の全体に装着したなら、タイヤハウス等にフックを取り付け風で外れないようにする（図５参照）。すると車体カバー６は、一方向回転機構１８によりトランク５０内に引き入れられることなく、またトランク５０の外で紐２２が大きく弛むことなく正しい状態に装着される。
【００４６】
車体カバー６を収納装置１に収納する時は、車体カバー６を車両３から外し、トランク５０の扉５１を開け（図４参照）、図１６に示すように車体カバー６の後端のリング２９を巻取ドラム４に設けられたフック９に掛け、そしてレバー１９を作動させる。すると、巻取ドラム１２は、ばね機構により回転し車体カバー６を巻き取る。リング２９がフック９に掛けられているため、紐２２を巻き取ることなく巻取ドラム１２は、直接車体カバー６を巻き始めるため、ばね力を有効に利用できる。
【００４７】
また巻取ドラム４は、円錐台状であるので、大径側で巻き取ると一回転で大きく車体カバー６を巻き取ることができる。車体カバー６が巻き付いて径が大きくなると、径が細い側に巻きつけさせ、巻取り太さが均一となるように車体カバー６を巻き付ける。また、巻き取られる車体カバー６の表面にブラシ２１が接触するので、車体カバー６の表面に付着している水滴や埃などを払い落とすことができる。その際落下した水滴は、図１０に示すようにケース本体２の下端に設けられた吸収材としてのスポンジ３５（図１０参照）に吸収させる。スポンジ３５は脱着可能で、水分を吸収したら取り出し、絞った後再度取り付けるようにする。
【００４８】
ばね機構１４の巻き取り力が不足するときは、手で車体カバー６をケース本体２内に押し込む。車体カバー６を巻取ドラム４に巻きつけたら、扉１０を閉め、トランク５０の扉５１を閉める。
【００４９】
尚、図１１に示すようにケース本体２の底部に傾斜を設け、左右脚部に相当する部分に水受け３６を設け、落下した水滴を受けるようにしてもよい。貯まった水はスポンジ等を用いて吸水し、外に排出したりする。
【００５０】
次に、紐２２の他の例について説明する。紐２２は、予め車種に適合させた長さとし、調整機構を中間に介さず直接車体カバー６に縫い付けて収納装置１に連結してもよい。更に、面ファスナーを用いて紐２２と車体カバー６とを連結したり、車体カバー６にハトメ等による穴を設け、穴に紐２２を締結するようにして
【００５１】
また、図１３に示すように固定部材３３を車両３の左右方向に向けて取り付けてもよい。更に、固定部材３３の内部にばねを組み込まず、内管に嵌合用の穴３８を複数設け、適宜の孔３８にピン３７を差し入れ、固定部材３３を所望の長さに固定するようにしてもよい。
【００５２】
また図１５に示すように、トランク５０内のカーペットに刺さるピンを底面に有する固定材４０を脚部２０に取り付けてもよい。固定材４０は脚部２０の上部角に回動自在に支持され、上部に設けられたスプリング４１で上方に付勢されている。このようにすると、スプリング４１により、ピンがカーペットに食い込み、収納装置１はトランク５０内で強固に固定される。
【００５３】
尚、一方向回転機構１８に代えて、図４に示すように車体カバー６を引き出したなら、図１６に示すように紐２２の中間部分に取り付けられた周り止め用の紐環２６をケース本体２の内側に設けられたフック２７にかけ、巻取ドラム４の逆回転を防止してもよい。また巻き取る際には巻取ドラム４の回転を止めている紐環２６を外し、巻取ドラム４を回転させる。
【図面の簡単な説明】
【００５４】
【図１】本発明にかかる収納装置の一実施形態を示す斜視図である。
【００５５】
【図２】本発明にかかる収納装置の一実施形態を示す正面断面図である。
【００５６】
【図３】車体カバーの取り付け手順を示す側面図である。
【００５７】
【図４】車体カバーの取り付け手順を示す側面図である。
【００５８】
【図５】車体カバーの取り付け手順を示す側面図である。
【００５９】
【図６】調整機構を示す斜視図である。
【００６０】
【図７】連結リングを示す斜視図である。
【００６１】
【図８】連結リングの他の例を示す斜視図である。
【００６２】
【図９】連結リングの他の例を示す斜視図である。
【００６３】
【図１０】本発明にかかる収納装置の他の実施形態を示す正面断面図である。
【００６４】
【図１１】本発明にかかる収納装置の他の実施形態を示す正面断面図である。
【００６５】
【図１２】本発明にかかる収納装置を示す斜視図である。
【００６６】
【図１３】本発明にかかる収納装置の他の例を示す斜視図である。
【００６７】
【図１４】本発明にかかる収納装置の他の例を示す斜視図である。
【００６８】
【図１５】本発明にかかる収納装置の他の例を示す斜視図である。
【００６９】
【図１６】本発明にかかる収納装置の連結紐を示す側面図である。
【００７０】
【図１７】本発明にかかる収納装置の取付状態を示す斜視図である。
【符号の説明】
【００７１】
１  ；  収納装置
２  ；  ケース本体
４  ；  巻取ドラム
６  ；  車体カバー
８  ；  引出口
９  ；  フック
１０  ；扉
１１  ；接着剤
１３  ；開閉蓋
１４  ；ばね機構
１５  ；ばね
１６  ；ハンドル
２０  ；脚部
２２  ；紐
２３  ；調整機構
２５  ；狭持部
２６  ；紐環
２７  ；フック
２８  ；布片
２９  ；リング
３０  ；連結リング
３１  ；連結金具
３２  ；ヒモ
３３  ；固定部材
３５  ；スポンジ
３６  ；水受け
３７  ；ピン
３８  ；穴
４０  ；固定材
４１  ；スプリング
５０  ；トランク
５１  ；扉
【図１】
2005053367.tif 000003
【図２】
2005053367.tif 000004
【図３】
2005053367.tif 000005
【図４】
2005053367.tif 000006
【図５】
2005053367.tif 000007
【図６】
2005053367.tif 000008
【図７】
2005053367.tif 000009
【図８】
2005053367.tif 000010
【図９】
2005053367.tif 000011
【図１０】
2005053367.tif 000012
【図１１】
2005053367.tif 000013
【図１２】
2005053367.tif 000014
【図１３】
2005053367.tif 000015
【図１４】
2005053367.tif 000016
【図１５】
2005053367.tif 000017
【図１６】
2005053367.tif 000018
【図１７】
2005053367.tif 000019